(57)【特許請求の範囲】
【請求項１】
受皿部に排水管部が連成されたドレイン本体と、該ドレイン本体の受皿部を通水可能に覆うストレーナーを備えたルーフドレインにおいて、
前記ストレーナーが、受皿部を覆う網目筐体からなり、その外側面の一部に内方に窪む集塵凹部が形成されていることを特徴とするルーフドレイン。
【請求項２】
網目筐体が、線杆からなる外郭フレームに金網からなる網目部材が張設されてなるものであることを特徴とする請求項１記載のルーフドレイン。
【発明の詳細な説明】
【技術分野】
【０００１】
本発明は、排水性に優れ、かつ清掃時における作業性に優れたルーフドレインに関する。
【背景技術】
【０００２】
縦引き排水用のルーフドレインａは、図８に示すように、屋上やバルコニー等の床面ｆに埋設される受皿部ｃと、該受皿部ｃの中央に開口された排水孔ｄを囲繞するようにして下方に延成された排水管部ｅとからなるドレイン本体ｂと、該ドレイン本体ｂ上に配設されて受皿部ｃを通水可能に覆うストレーナーｇとを備えている。そして、該ストレーナーｇに形成された複数の狭幅状通水間隙ｈを介して周囲の床面ｆから受皿部ｃに流入する雨水を排水孔ｄから樋管ｉに流し込んでその排水を行い得るようになっている。
【０００３】
かかる構成のルーフドレインａは、ちりや落葉等の塵芥が多い場所で使用すると、雨水とともに流れて来る塵芥のうち、比較的大きなものはストレーナーｇによって一応取り除くことができるものの、ストレーナーｇの狭幅状通水間隙ｈを通過し得る小さな塵芥は、雨水とともに受皿部ｃに流れ込んでしまい、内部で滞留して、排水作用を損ねるという問題がある。そこで、近年、図８に示すように、ストレーナーｇを被覆することによって小さな塵芥の流入を防止し得る防塵筺体ｊが提案されている（例えば、特許文献１参照）。該防塵筺体ｊは、線杆からなる外郭フレームｋに目の細かい金網ｍを張設して構成されており、ビス止めｎ等の適宜の固定手段を介してドレイン本体ｂに固定されている。
【特許文献１】特開２００１−１９３２３３号公報（図１０）
【発明の開示】
【発明が解決しようとする課題】
【０００４】
ところで、上記防塵筺体ｊにあっては、降雨時において、ストレーナーｇの狭幅状通水間隙ｈを通過し得る小さな塵芥がルーフドレインａ内へ流入することを防止できるが、大小の塵芥が防塵筺体ｊの周囲に略均一に滞留するため、水流が遮断されてルーフドレインａによる排水に支障を来す虞があった。また、ルーフドレインａ回りを清掃する際に、防塵筺体ｊを取り外して持ち上げると、防塵筺体ｊの周囲に溜まっている塵芥がルーフドレインａ上にこぼれ落ちるという問題点があった。
【０００５】
本発明は、かかる従来の問題点を解消し得るルーフドレインを提供することを目的とするものである。
【課題を解決するための手段】
【０００６】
本発明は、受皿部に排水管部が連成されたドレイン本体と、該ドレイン本体の受皿部を通水可能に覆うストレーナーを備えたルーフドレインにおいて、前記ストレーナーが、受皿部を覆う網目筐体からなり、その外側面の一部に内方に窪む集塵凹部が形成されていることを特徴とするルーフドレインである。
【０００７】
ここで、本発明の構成は、縦引き排水用または横引き排水用の何れのルーフドレインにも適用され得る。
【０００８】
また、前記ルーフドレインにあって、網目筐体が、線杆からなる外郭フレームに金網からなる網目部材が張設されてなる構成が提案される。
【発明の効果】
【０００９】
本発明は、上述したように、受皿部に排水管部が連成されたドレイン本体と、該ドレイン本体の受皿部を通水可能に覆うストレーナーを備えたルーフドレインにおいて、前記ストレーナーが、受皿部を覆う網目筐体からなり、その外側面の一部に内方に窪む集塵凹部が形成されているので、降雨時に雨水とともに流れて来る塵芥が網目筐体の外側面に到達すると、集塵凹部以外の部分に到達した塵芥は、不安定な状態で網目筐体の外側面に当接するため、次第に集塵凹部側へ押し流されて集塵凹部内に入り込むこととなる。これにより、集塵凹部内には塵芥が滞留する一方、集塵凹部以外の部分では塵芥が滞留しないため、雨水が円滑に通過して良好な排水性を得ることができる。
【００１０】
また、ルーフドレイン回りを清掃する際に、網目筐体を取り外して持ち上げると、集塵凹部内に溜まっている塵芥がこぼれ落ちることなく、そのまま除去することができる。これにより、清掃時における作業性が向上する。
【００１１】
また、網目筐体が、線杆からなる外郭フレームに金網からなる網目部材が張設されてなる構成にあっては、安価に製作できる一方、金網からなる網目部材によって優れた通水性が得られるとともに、線杆からなる外郭フレームによって前記網目部材の形状を保持し得るので、網目筐体が堅牢なものとなる。
【発明を実施するための最良の形態】
【００１２】
以下に、本発明にかかるルーフドレインの第一実施例を、図１〜図３に基づいて説明する。この第一実施例は、縦引き排水用として構成されたルーフドレイン１Ａを示すものである。
【００１３】
ルーフドレイン１Ａは、図１，図２に示すように、屋上やバルコニー等の床面ｆに埋設される円形の受皿部３と、該受皿部３の中央に開口された排水孔４を囲繞するようにして下方に連成された排水管部５とによってドレイン本体２が構成されている。前記受皿部３の上面には、床面ｆ上に敷設されるシート防水層８ａの開口縁部を挟持する防水層押え盤６が、受皿部３に立設された複数の螺子杆７ａと、該螺子杆７ａに螺合されるナット７ｂとによって固定されており、該防水層押え盤６上に受皿部３を通水可能に覆うストレーナーとしての網目筐体９Ａが配設されている。該網目筐体９Ａは、本発明の要部にかかるものであり、詳しくは後述する。該網目筐体９Ａは、その下部鍔縁部１４に設けられた取付け部１８を螺子１１によって防水層押え盤６に固定することにより、該防水層押え盤６を介してドレイン本体２に取付けられている。尚、図示したルーフドレイン１Ａは、シート防水用及びアスファルト防水用として構成されており、防水層押え盤６を備えているが、モルタル防水用及び塗膜防水用として構成されるものは、該防水層押え盤６が除去される。この場合には、網目筐体９Ａが受皿部３に螺子１１で直接固定されることとなる。
【００１４】
前記排水管部５には、上端を外嵌することにより樋管１２が接続されており、周囲の床面ｆから網目筐体９Ａを介して受皿部３に流入する雨水を排水孔４から樋管１２に流し込んでその排水を行い得るようになっている。
【００１５】
前記網目筐体９Ａは、図３に示すように、円形の下部鍔縁部１４と該下部鍔縁部１４上に立設された略円筒を呈する主体部１５とを備えた線杆からなる外郭フレーム１３と、該外郭フレーム１３の外面全体に亘って張設された５メッシュ程度の金網からなる網目部材１６とによって構成されており、主体部１５の外側面には、上下両端部間に亘って内方に円弧状に窪んだ複数の集塵凹部１７が周方向に所定間隔で形成されている。また、下部鍔縁部１４の周縁には、その１８０°異なる位置に外方に開口するＵ字形の切り欠き溝１９を備えた取付け部１８，１８が夫々設けられており、各取付け部１８の切り欠き溝１９に挿通される螺子１１（図１参照）を防水層押え盤６に形成された螺子孔２０に螺合させることにより、その緊締作用を介して網目筐体９Ａを受皿部３上に固定するようにしている。
【００１６】
かかる構成にあって、網目筐体９Ａによって受皿部３を覆った状態において、降雨時に雨水とともに流れて来る塵芥が網目筐体９Ａの外側面に到達すると、集塵凹部１７以外の部分に到達した塵芥は、不安定な状態で網目筐体９Ａの外側面に当接するため、次第に集塵凹部１７側へ押し流されて集塵凹部１７内に入り込むこととなる。そして、該集塵凹部１７が内方に窪んでいることにより、一度集塵凹部１７内に入り込んだ塵芥は該集塵凹部１７から脱出することなく順次集塵凹部１７内に溜められることとなる。これにより、集塵凹部１７内には塵芥が滞留する一方、集塵凹部１７以外の部分では塵芥が滞留せず、雨水を円滑に通過させ得るため、排水を良好に行わせることができる。
【００１７】
また、ルーフドレイン回りを清掃する際に、網目筐体９Ａを取り外して持ち上げると、集塵凹部１７内に溜まっている塵芥がこぼれ落ちることなく、そのまま除去することができる。これにより、清掃時における作業性に優れたものとなる。
【００１８】
次に、本発明にかかるルーフドレインの第二実施例を、図４〜図７に基づいて説明する。この第二実施例は、横引き排水用として構成されたルーフドレイン１Ｂを示すものである。
【００１９】
ルーフドレイン１Ｂのドレイン本体２は、図４，図５に示すように、断面Ｌ形に形成された受皿部３の背面に排水孔４を囲繞するようにして排水管部５が後方に連成されており、このドレイン本体２は、床面ｆと壁面ｗとが交叉する入隅部に埋設されている。前記受皿部３の外表面には、床面ｆから壁面ｗにかけて敷設されるアスファルト防水層８ｂの開口縁部を挟持する断面Ｌ形の防水層押え盤６が、ドレイン本体２に螺入された螺子杆７ａと、該螺子杆７ａに螺合されるナット７ｂとによって固定されており、該防水層押え盤６上に受皿部３を通水可能に覆うストレーナーとしての網目筐体９Ｂが配設されている。該網目筐体９Ｂは、その上部中央に設けられた取付け部１８を螺子１１によって防水層押え盤６に固定することにより、該防水層押え盤６を介してドレイン本体２に取付けられている。尚、図示したルーフドレイン１Ｂは、シート防水用及びアスファルト防水用として構成されており、防水層押え盤６を備えているが、モルタル防水用及び塗膜防水用として構成されるものは、該防水層押え盤６が除去される。この場合には、網目筐体９Ｂが受皿部３に螺子１１で直接固定されることとなる。
【００２０】
前記排水管部５には、先端を螺着することにより樋管１２が接続されており、周囲の床面ｆから網目筐体９Ｂを介して受皿部３に流入する雨水を排水孔４から樋管１２に流し込んでその排水を行い得るようになっている。
【００２１】
前記網目筐体９Ｂは、図６，図７に示すように、四本のＬ形杆２１を並列させてその上端及び前端を二本の横杆２２で連結し、かつ該横杆２２に両端を夫々連結して斜めに配設された四本の傾斜杆２３によって倒直角三角筒枠を呈するように形成された線杆からなる外郭フレーム１３と、該外郭フレーム１３の外面に張設された５メッシュ程度の金網からなる網目部材１６とによって構成されており、該網目筐体９Ｂの外側面には、中央に位置する二本の傾斜杆２３，２３間に、内方にＬ形に窪んだ集塵凹部１７が形成されている。また、前記二本の傾斜杆２３，２３間には、集塵凹部１７を跨ぐようにして把手杆２４が横架されており、該把手杆２４を清掃時の把手とすることができるようになっている。集塵凹部１７の上部中央には、透孔２５を備えた取付け部１８が設けられており、該取付け部１８の透孔２５に挿通される螺子１１（図４参照）を防水層押え盤６に形成された螺子孔２０に螺合させることにより、その緊締作用を介して網目筐体９Ｂを受皿部３上に固定するようにしている。
【００２２】
かかる構成にあっても、網目筐体９Ｂによって受皿部３を覆った状態において、降雨時に雨水とともに流れて来る塵芥が網目筐体９Ｂの外側面に到達すると、第一実施例と同様に、集塵凹部１７以外の部分に到達した塵芥は、不安定な状態で網目筐体９Ｂの外側面に当接するため、次第に集塵凹部１７側へ押し流されて集塵凹部１７内に入り込むこととなる。そして、該集塵凹部１７が内方に窪んでいることにより、一度集塵凹部１７内に入り込んだ塵芥は該集塵凹部１７から脱出することなく順次集塵凹部１７内に溜められることとなる。これにより、集塵凹部１７内には塵芥が滞留する一方、集塵凹部１７以外の部分では塵芥が滞留せず、雨水を円滑に通過させ得るため、排水を良好に行わせることができる。
【００２３】
また、ルーフドレイン回りを清掃する際に、網目筐体９Ｂを取り外して持ち上げると、集塵凹部１７内に溜まっている塵芥がこぼれ落ちることなく、そのまま除去することができる。これにより、清掃時における作業性に優れたものとなる。
【図面の簡単な説明】
【００２４】
【図１】第一実施例にかかるルーフドレイン１Ａの施工状態を示す縦断面図である。
【図２】同上のルーフドレイン１Ａの平面図である。
【図３】同上のルーフドレイン１Ａを構成する網目筐体９Ａの外観斜視図である。
【図４】第二実施例にかかるルーフドレイン１Ｂの施工状態を示す縦断側面図である。
【図５】同上のルーフドレイン１Ｂの施工状態の縦断正面図である。
【図６】同上のルーフドレイン１Ｂを構成する網目筐体９Ｂの正面側の斜視図である。
【図７】同上のルーフドレイン１Ｂを構成する網目筐体９Ｂの背面側の斜視図である。
【図８】従来構成の防塵筺体ｊが取付けられたルーフドレインａの施工状態を示す縦断面図である。
【符号の説明】
【００２５】
１  Ａ，１Ｂ  ルーフドレイン
２  ドレイン本体
３  受皿部
５  排水管部
９Ａ，９Ｂ  網目筐体（ストレーナー）
１３  外郭フレーム
１６  網目部材
１７  集塵凹部
【図１】
0004887312.tif 000002
【図２】
0004887312.tif 000003
【図３】
0004887312.tif 000004
【図４】
0004887312.tif 000005
【図５】
0004887312.tif 000006
【図６】
0004887312.tif 000007
【図７】
0004887312.tif 000008
【図８】
0004887312.tif 000009